(57)【要約】ドラム洗濯機及び洗濯機のノズルであって、ノズル（１２）は、中にガイド通路（１２１１）が設けられる本体（１２１）と、ガイド通路（１２１１）が供水部材に連通されるように供水部材を接続するための接続部と、本体（１２１）の出水端に設けられる遮水部（１２２）と、本体（１２１）と遮水部（１２２）との間に形成されるとともに、ガイド通路（１２１１）に連通される噴射通路（１２３）と、を備え、噴射通路（１２３）は、洗浄水の噴射方向に沿って、本体（１２１）の給水端から徐々に離れる。遮水部（１２２）の本体（１２１）に近い一側と給水端との間の距離は、洗浄水の噴射方向に沿って徐々に増加され、本体（１２１）の高さは、洗浄水の噴射方向に沿って徐々に増加される。本体（１２１）と遮水部（１２２）との接続先は、噴射通路（１２３）の始端を形成し、始端の高さは、本体（１２１）の円周方向に沿って徐々に増加される。内筒（３）の洗浄水による被覆面積が増加され、内筒（３）における衣類がよりよくスプレーされ、洗濯機の洗浄効果が最適化される。
2021526417.tif 000002
【特許請求の範囲】
【請求項１】
ノズルは、
中にガイド通路が設けられる本体と、
前記本体の給水端に設けられ、前記ガイド通路が供水部材に連通されるように前記供水部材を接続するための接続部と、
前記本体の出水端に設けられ、前記ガイド通路からの洗浄水の方向を変えるための遮水部と、
前記本体と前記遮水部との間に形成されるとともに、前記ガイド通路に連通される噴射通路と、を備え、
前記噴射通路は、前記給水端から離れる方向に沿って、前記本体と前記遮水部との間に斜めに形成される、ことを特徴とする洗濯機のノズル。
【請求項２】
前記噴射通路が前記遮水部に形成される上壁と前記給水端との間の距離は、洗浄水の噴射方向に沿って徐々に増加される、ことを特徴とする請求項１に記載の洗濯機のノズル。
【請求項３】
前記噴射通路が本体に形成される上壁と前記給水端との間の距離は、洗浄水の噴射方向に沿って徐々に増加される、ことを特徴とする請求項２に記載の洗濯機のノズル。
【請求項４】
前記本体と前記遮水部との接続先は、前記噴射通路の始端を形成し、前記始端の高さは、前記本体の円周方向に沿って徐々に増加される、ことを特徴とする請求項１に記載の洗濯機のノズル。
【請求項５】
前記噴射通路は、洗浄水を滝の形で噴出できるように設置される、ことを特徴とする請求項１〜４のいずれか一項に記載の洗濯機のノズル。
【請求項６】
循環ポンプ及び複数の請求項１〜５のいずれか一項に記載のノズルを備え、
前記循環ポンプは、給水口が前記外筒内に通じられ、出水口がそれぞれ複数の前記ノズルに連通され、前記循環ポンプは、前記外筒における洗浄水を複数の前記ノズルにポンプ輸送するために使用される、ことを特徴とするドラム洗濯機。
【請求項７】
複数の前記ノズルはいずれも、前記外筒の先端近くに設置されるとともに、各ノズルの噴射通路はいずれも、前記内筒に向けられる、ことを特徴とする請求項６に記載のドラム洗濯機。
【請求項８】
前記ドラム洗濯機はさらに、前記ハウジングと前記外筒との間に設置される窓パッキンを備え、複数の前記ノズルは、前記窓パッキンの円周方向に沿って等間隔で前記窓パッキンに設置される、ことを特徴とする請求項７に記載のドラム洗濯機。
【請求項９】
前記ドラム洗濯機はさらに、前記循環ポンプの出水口に連通される環状チャンバーを備え、前記環状チャンバーはまた、各前記ノズルの接続部に接続される、ことを特徴とする請求項８に記載のドラム洗濯機。
【請求項１０】
前記環状チャンバーには、取付ブラケットが設けられ、前記環状チャンバーは、前記取付ブラケットを介して前記外筒に固定接続される、ことを特徴とする請求項９に記載のドラム洗濯機。
【発明の詳細な説明】
【技術分野】
【０００１】
本発明は家庭電器の分野に関するもので、具体的にはドラム洗濯機及び洗濯機のノズルが提供される。
【背景技術】
【０００２】
現在のドラム洗濯機はヨーロッパで発祥したものであり、外から内まで主に、ハウジング、外筒、及び内筒を備える。ドラム洗濯機の作動方式は、たたき棒で衣類を叩く原理と似ている。作業時に、内筒が駆動モーターに駆動されて回動する。内筒が回動することに伴い、衣類はドラム中で連続的に持ち上げられて落とされ、再び持ち上げられて落とされ、繰り返し運動を行うことになる。洗剤と水の共同作用で、衣類がきれいに洗浄される。
【０００３】
水流による衣類への洗い流しや濯ぎの効果を向上するために、一部のドラム洗濯機には、さらに循環スプレー装置が設けられる。例えば、公開番号ＣＮ２０４９８２４４６Ｕの特許文献に開示されているドラム式洗濯機は、本体、ドラム、及び水槽を外から内まで順に備えている。その中、水槽上には水槽フレームが設けられ、水槽フレーム上には、ドラム内に水流を噴射するためのスプレー孔と、噴射された水流を円周方向に拡散するように導くための導流機構が設けられる。スプレー孔からの水柱が導流機構へ噴射された後、幅は拡大され、水柱は扇形に調整され内筒へ噴射される。
【０００４】
公開番号ＣＮ２０４９８２４４６Ｕの特許文献に開示されているドラム式洗濯機は、衣類に対して強力な洗濯能力を有するが、そのスプレー孔及び導流構造は、構造が複雑であり、生産コストが比較的高い。
【０００５】
したがって、上記の問題を解決するために、本分野では新たなドラム洗濯機及びそのスプレーシステムが必要とされる。
【発明の概要】
【０００６】
従来技術における上記の課題を解決するために、すなわち、従来の循環スプレー機能を有するドラム洗濯機のスプレー孔及び導流構造は構造が複雑であるという問題を解決するために、本発明は、洗濯機のノズルが提供され、前記ノズルは、
【０００７】
中にガイド通路が設けられる本体と、
【０００８】
前記本体の給水端に設けられ、前記ガイド通路が供水部材に連通されるように前記供水部材を接続するための接続部と、
【０００９】
前記本体の出水端に設けられ、前記ガイド通路からの洗浄水の方向を変えるための遮水部と、
【００１０】
前記本体と前記遮水部との間に形成されるとともに、前記ガイド通路に連通される噴射通路と、を備え、
【００１１】
前記噴射通路は、前記給水端から離れる方向に沿って、前記本体と前記遮水部との間に斜めに形成される。
【００１２】
前記ノズルの好ましい技術案において、前記噴射通路が前記遮水部に形成される上壁と前記給水端との間の距離は、洗浄水の噴射方向に沿って徐々に増加される。
前記ノズルの好ましい技術案において、前記噴射通路が本体に形成される下壁と前記給水端との間の距離は、洗浄水の噴射方向に沿って徐々に増加される。
【００１３】
前記ノズルの好ましい技術案において、前記本体と前記遮水部との接続先は、前記噴射通路の始端を形成し、前記始端の高さは、前記本体の円周方向に沿って徐々に増加される。
【００１４】
前記ノズルの好ましい技術案において、前記噴射通路は、洗浄水を滝の形で噴出できるように設置される。
【００１５】
また、本発明はさらに、循環ポンプ及び複数の上記ノズルを備え、前記循環ポンプは、給水口が前記外筒内に通じられ、出水口がそれぞれ複数の前記ノズルに連通され、前記循環ポンプは、前記外筒における洗浄水を複数の前記ノズルにポンプ輸送するために使用されるドラム洗濯機が提供される。
【００１６】
前記ドラム洗濯機の好ましい技術案において、複数の前記ノズルはいずれも、前記外筒の先端近くに設置されるとともに、各ノズルの噴射通路はいずれも、前記内筒に向けられる。
【００１７】
前記ドラム洗濯機の好ましい技術案において、前記ドラム洗濯機はさらに、前記ハウジングと前記外筒との間に設置される窓パッキンを備え、複数の前記ノズルは、前記窓パッキンの円周方向に沿って等間隔で前記窓パッキンに設置される。
【００１８】
前記ドラム洗濯機の好ましい技術案において、前記ドラム洗濯機はさらに、前記循環ポンプの出水口に連通される環状チャンバーを備え、前記環状チャンバーはまた、各前記ノズルの接続部に接続される。
【００１９】
前記ドラム洗濯機の好ましい技術案において、前記環状チャンバーには、取付ブラケットが設けられ、前記環状チャンバーは、前記取付ブラケットを介して前記外筒に固定接続される。
【００２０】
当業者は、本発明の好ましい技術案では、ノズルの本体を遮水部と一体に設置することで、ノズルの構造が簡素化され、本発明のドラム洗濯機は、公開番号ＣＮ２０４９８２４４６Ｕの特許文献に開示されているドラム式洗濯機と比べて、ノズルの構造がより簡単であり、加工や製造がより簡単であり、洗濯機の生産コストが低減されると理解できる。ノズルの噴射通路を洗浄水の噴射方向に沿って徐々に前記本体の給水端から離れるように設置することにより、各ノズルはいずれも、内筒の軸線へ洗浄水を扇形に噴射できるようになる。
【００２１】
具体的には、遮水部の本体に近い一側とノズルの給水端との間の距離を、洗浄水の噴射方向に沿って徐々に増加させ、本体の高さも、洗浄水の噴射方向に沿って徐々に増加させる。
【図面の簡単な説明】
【００２２】
以下、本発明の好ましい実施形態を、図面を参照しながら、ドラム洗濯機と合わせて説明する。
【００２３】
【図１】本発明のドラム洗濯機の正面図である。
【００２４】
【図２】図１のＡ−Ａ線に沿った方向の断面図である。
【００２５】
【図３】図１のＢ−Ｂ線に沿った方向の断面図である。
【００２６】
【図４】本発明の外筒部分の第１の側面図である。
【００２７】
【図５】本発明の外筒部分の第２の側面図である。
【００２８】
【図６】本発明の外筒部分の正面図である。
【００２９】
【図７】図６のＣ−Ｃ線に沿った方向の断面図である。
【００３０】
【図８】図７におけるＤ部分の拡大図である。
【００３１】
【図９】本発明の遮蔽構造の効果の概略図である。
【００３２】
【図１０】本発明のノズルの側面図である。
【００３３】
【図１１】本発明のノズルの断面図である。
【００３４】
【図１２】本発明のノズルの正面図である。
【００３５】
【図１３】本発明のノズルの第１のスプレー効果の概略図である。
【００３６】
【図１４】本発明のノズルの第２のスプレー効果の概略図である。
【発明を実施するための形態】
【００３７】
当業者は、本実施形態が本発明の技術的原理を説明するためだけに使用され、本発明の保護範囲を制限するためのものではないと理解すべきである。例えば、本発明のノズルをドラム洗濯機と合わせて説明しているが、本発明のノズルはパルセーター洗濯機にも適用でき、当業者は、具体的な用途に適応するために必要に応じてそれを調整することができ、調整された技術案は、依然として本発明の保護範囲に属する。
【００３８】
なお、本発明の説明において、特に明確な規定や限定がない限り、用語「取付」、「連通」、「接続」は広義的に理解されるべきであり、例えば、固定接続であっても良いし、取り外し可能な接続であっても良いし、一体的に接続しても良い。中間媒体を介して間接に接続しても良いし、２つの素子の内部における連通であってもよい。当業者にとって、具体的な状況に応じて上述の用語が本発明における具体的な意味を理解できる。
【００３９】
図１から図３に示すように、本発明のドラム洗濯機は、主にハウジング１、外筒２、内筒３、扉体４、窓パッキン５、重り６、出水管７、循環ポンプ８、排水管９、及び循環管１０が備えられる。その中、外筒２はハウジング１内に固定設置され、内筒３は外筒２に回動可能に設置され、窓パッキン５はハウジング１と外筒２との間に設置される。重り６は、外筒２に取り付けられ、外筒２の慣性を増大させ、内筒３が作動しているときに外筒２の振動幅を低減するために使用される。
【００４０】
図３に示すように、出水管７、循環ポンプ８、排水管９、及び循環管１０はいずれも、ハウジング１内に設置され、且つ循環ポンプ８は、ハウジング１に固定され、あるいは、当業者は、必要に応じて循環ポンプ８を外筒２に固定させてもよい。循環ポンプ８は、給水口を１つ、及び出水口を２つ含む。その中、循環ポンプ８の給水口は、出水管７の一端に接続され、出水管７の他端は、外筒２の底端に接続されることにより、循環ポンプ８の給水口と外筒２とが連通されるようになる。循環ポンプ８の１つの出水口は、排水管９の一端に接続され、排水管９の他端は、外部に通じる。循環ポンプ８のもう１つの出水口は、循環管１０の一端に接続され、循環管１０の他端は、外筒２内に通じる。
【００４１】
本発明の好ましい実施形態において、循環ポンプ８は、双方向回転ポンプであり、循環ポンプ８が正回転すると、循環ポンプ８は、洗浄水を排水管９にポンプ輸送し、循環ポンプ８が逆回転すると、循環ポンプ８は、洗浄水を循環管１０にポンプ輸送する。さらに、当業者はまた必要に応じて、循環ポンプ８を出水口を１つのみ有するとともに、この出水口を循環管１０に連通させるように設置してもよい。そして、排水管９に水ポンプ又は遮断弁を１つ個別に設置し、この水ポンプ又は遮断弁を開くことにより、出水管７における洗浄水が排水管９へ流れるようになる。
【００４２】
引き続き図３を参照すると、ハウジング１の先端（図３においてハウジング１の右側）にはハウジング口（図示せず）が設けられ、外筒２の先端（図３において外筒２の右側）には外筒口（図示せず）が設けられ、内筒３の先端（図３において内筒３の右側）には内筒口（図示せず）が設けられる。窓パッキン５は、一端がハウジング口の周縁に密封接続され、他端が外筒口の周縁に密封接続される。扉体４はハウジング１に枢動可能に設置され、そして扉体４を閉じると、前記ハウジング口を閉鎖して外筒２における洗浄水がハウジング口から溢れるのを防ぐことができる。
【００４３】
図２から図８に示すように、本発明に係るドラム洗濯機は、主に循環ポンプ８、循環管１０、環状チャンバー１１、及び複数のノズル１２が含まれるスプレーシステムをさらに備える。その中、循環ポンプ８は上述したとおりである。環状チャンバー１１は、外筒２の先端に設置されるとともに、外筒２又は重り６に固定接続される。本発明の好ましい実施形態において、環状チャンバー１１には、取付ブラケットが設けられ、環状チャンバー１１は、取付ブラケットを介して外筒２又は重り６に固定接続される。当業者は、取付ブラケットが、例えばボルト接続、ねじ接続、係合接続、栓接続などの任意の実施可能な接続方式で、外筒２又は重り６に固定され得ると理解できる。
【００４４】
図３及び図８に示すように、環状チャンバー１１には、１つの給水口と複数の出水口が設けられ、環状チャンバー１１の給水口は、循環管１０の循環ポンプ８から離れた一端に連通され、環状チャンバー１１の各出水口には、いずれも、１つのノズル１２が接続されている。循環ポンプ８が逆回転すると、循環ポンプ８は、循環管１０を介して洗浄水を複数のノズル１２にポンプ輸送でき、次に、ノズル１２は、洗浄水を内筒３に噴射する。当業者は、ノズル１２が、例えば、一体射出成形という形で環状チャンバー１１に接続し、ゲーブル接続、スクリュー接続、溶接、超音波熔接などの接続形式で環状チャンバー１１に接続するのように、如何なる実施可能な接続形式で環状チャンバー１１に接続可能であると理解できる。
【００４５】
図４及び図５に示すように、複数のノズル１２がともに内筒３に均一な水流を提供できるように（図１に示すように）、複数のノズル１２は、窓パッキン５の円周方向に沿って等間隔で窓パッキン５に設置される。当業者は、ノズル１２の数が、例えば、５つ、６つ、８つ、９つなどの任意値であってもよいと理解できる。また、当業者は、必要に応じて、複数のノズル１２を窓パッキン５に非等間隔で設置してもよい。
【００４６】
図８に示すように、窓パッキン５に、ノズル１２の数に相当する複数の貫通孔（図示せず）が設けられ、且つノズル１２と窓パッキン５との間が締まりばめという方式で接続されるように、各貫通孔の直径はいずれも、ノズル１２の直径よりも小さく、これによりノズル１２と窓パッキン５との間の密封が実現される。さらに、当業者はまた、必要に応じて、窓パッキン５上における貫通孔を、例えば、ねじ穴、スプライン孔、テーパ孔、多角形孔などの他の任意の形の取付孔に設置してもよい。
【００４７】
図７及び図８に示すように、窓パッキン５の内側には、ノズル１２の数に相当する複数の遮蔽構造５１が設けられる。この遮蔽構造５１は、貫通孔を取り囲むように設置される。当業者は、遮蔽構造５１と窓パッキン５との間が、例えば一体射出成形、溶接、超音波熔接などの任意の実施可能な方式で接続され得ると理解できる。
【００４８】
図９に示すように、遮蔽構造５１は逆ボウル状の構造であり、それと窓パッキン５との間に、ノズル１２の端部を収容し、包むための空洞５１１が形成される。ユーザーが内筒３に衣類を投入したり、内筒３から衣類を取り出したりするときに、ノズル１２の端部は衣類に引っ掛かることが防止される。さらに、遮蔽構造５１上における内筒３に向かう一側に開口５１２がさらに設けられ、この開口５１２は、ノズル１２が洗浄水をスムーズに内筒３に噴射できるように保証するために、ノズル１２の噴射通路１２３（図１０に示すように）と位置合わせされる。
【００４９】
図１０から図１２に示すように、本発明に係るノズル１２は、主に本体１２１、本体１２１の一端に設置される遮水部１２２、本体１２１と遮水部１２２との間に形成される噴射通路１２３、及び本体１２１の他端に設置される接続部（図示せず）が備えられる。その中、本体１２１は、接続部を介して供水部材である環状チャンバー１１に接続される。本体１２１の内部には、下端（給水端）が環状チャンバー１１に連通し、上端（出水端）が噴射通路１２３に連通するガイド通路１２１１が設けられる。当業者は、本体１２１と遮水部１２２との間が、例えば一体射出成形、溶接、超音波熔接などの任意の実施可能な方式で接続され得ると理解できる。さらに、ノズル１２が、洗浄水を滝の形で噴出できるように、噴射通路１２３は平らな形をしている（図１０及び図１１に示すように）。また、滝の形の水流を噴出できることを前提で、当業者は、必要に応じて、噴射通路１２３を、例えば、平らなラッパ状構造、Ｖ字状構造、帯状孔構造などの他の任意の実施可能な形状に設置してもよい。
【００５０】
図１１に示すように、噴射通路１２３は、洗浄水の噴射方向に沿って、本体１２３１の給水端から徐々に離れる。具体的には、噴射通路１２３が本体１２１に形成される下壁の高さは、噴射通路１２３から噴出される洗浄水の噴射方向に沿って徐々に増加し、その中、この高さは、噴射通路１２３の下壁から本体１２１の下端までの距離である。噴射通路１２３が遮水部１２２に形成される上壁の高さは、噴射通路１２３から噴出される洗浄水の噴射方向に沿って徐々に増加し、その中、この高さは、噴射通路１２３の上壁から本体１２１の下端までの距離である。
【００５１】
図１１から容易にわかるように、噴射通路１２３の下壁の高さの差はＨである。本発明の好ましい実施形態では、噴射通路１２３の上壁と下壁はほぼ平行であるので、噴射通路１２３の上壁の高さの差もＨである。高低差Ｈに対応して、噴射通路１２３の上壁と水平方向との角度はαである。噴射通路１２３の上壁と下壁を上記の構造に設置する目的は、洗浄水が内筒３に均一に落ちることができるように、噴射通路１２３の噴射方向を内筒３の軸線に向けることである。あるいは、当業者は、必要に応じて、上記のＨ及びαを、任意の実施可能な数値に設置してもよい。例えば、噴射通路１２３の噴射方向が本体１２１の軸線方向に垂直または平行であっても、αを０°又は９０°に設置する。
【００５２】
当業者は、遮水部１２２の下端面が上記のように斜めに設置されてもよいし、本体１２１の軸線方向に対して垂直に設置されてもよいと理解できる。ここでの遮水部１２２の機能は、ガイド通路１２１１を流れる洗浄水と衝突して洗浄水を打ち散らすことで、洗浄水が噴射通路１２３から噴出された後、滝の形になるようにすることである。
【００５３】
図１２に示すように、本体１２１と遮水部１２２との接続先は、噴射通路１２３の始端（図１２において弧状の破線である）を形成し、前記始端の高さは、本体１２１の円周方向に沿って徐々に増加される。その中、この高さは、始端から本体１２１の下端までの距離である。
【００５４】
図１２から容易にわかるように、前記始端の最高のところと最低のところとの間の高さの差はｈである。その中、このｈが存在する目的は、図１２における平らな噴射通路１２３と図１２における水平方向とが角度βを形成するようになることである。本発明の好ましい実施形態では、０°＜β＜９０°である。
【００５５】
図１３に示すように、β＝０°の場合、噴射通路１２３から噴出された洗浄水が落下する位置によって構成される平面は、内筒３の軸線（図１３における一点鎖線）にほぼ垂直になる。
【００５６】
図１４に示すように、０°＜β＜９０°の場合、噴射通路１２３から噴出された洗浄水が落下する位置によって構成される平面は、内筒３の軸線（図１４における一点鎖線）に対して斜めになる。
【００５７】
したがって、角度βの存在により、噴射通路１２３から噴出された扇形の洗浄水が内筒３に落ちるときに、内筒３の軸線上において長Ｌの奥行き方向の被覆を有することができる。その中、Ｌは、例えば、３ｃｍ、４ｃｍ、６ｃｍなどの任意の実施可能な数値であってもよい。
【００５８】
まとめると、本発明のドラム洗濯機は、ノズル１２を窓パッキン５に等間隔で設置することにより、ノズル１２の取付構造が簡素化されるだけでなく、外筒２も元の構造が維持され、ドラム洗濯機の生産コストが削減されると同時に、内筒３における衣類に図１に示すような環状にスプレーされる洗浄水を提供することもできる。さらに、本発明はまた、ノズル１２の噴射通路１２３を斜めに設置することにより、噴射通路１２３が角度α及び夾角βを有するようになり、ノズル１２が、洗浄水を内筒３の軸線へ噴射できるだけでなく、洗浄水が内筒３の軸線に沿って長手方向に内筒３を覆うことができ、内筒３の洗浄水による被覆面積が増加され、内筒３における衣類がよりよくスプレーされ、洗濯機の洗浄効果が最適化される。
【００５９】
本発明の他の実施可能な技術案において、当業者はまた、必要に応じて、ノズル１２を任意の実施可能な位置に設置してもよい。例１として、複数のノズル１２を、等間隔で外筒口の周縁のところに設置する。例として、複数のノズル１２を、等間隔で扉体４に設置する。
【００６０】
本発明のさらに他の実施可能な技術案において、当業者はまた必要に応じて、複数の水管を設置してもよく、各ノズル１２がいずれも、水管の１本を介して循環ポンプ８の出水口に個別に連通できる。
【００６１】
なお、本発明の上記の技術案同士の間の組み合わせもまた、本発明の保護範囲に含まれるべきである。その中、この組み合わせには、複数の完全なる技術案の間の組み合わせだけでなく、各技術案における一部の技術的特徴の合理的な組み合わせも含まれる。
【００６２】
これで、本発明の技術案を、図面に示された好ましい実施形態と合わせて説明したが、本発明の保護範囲がこれらの具体的な実施形態に限定されないことは、当業者には容易に理解される。本発明の原理から逸脱することなく、当業者は、関連する技術的特徴に対して同等の変更又は置換を行うことができ、これらの変更又は置換後の技術案はいずれも、本発明の保護範囲に含まれる。
【符号の説明】
【００６３】
１、ハウジング  ２、外筒  ３、内筒  ４、扉体  ５、窓パッキン  ５１、遮蔽構造  ５１１、空洞  ５１２、開口  ６、重り  ７、出水管  ８、循環ポンプ  ９、排水管  １０、循環管  １１、環状チャンバー  １２、ノズル  １２１、本体  １２１１、ガイド通路  １２２、遮水部  １２３、噴射通路
【図１】
2021526417.tif 000003
【図２】
2021526417.tif 000004
【図３】
2021526417.tif 000005
【図４】
2021526417.tif 000006
【図５】
2021526417.tif 000007
【図６】
2021526417.tif 000008
【図７】
2021526417.tif 000009
【図８】
2021526417.tif 000010
【図９】
2021526417.tif 000011
【図１０】
2021526417.tif 000012
【図１１】
2021526417.tif 000013
【図１２】
2021526417.tif 000014
【図１３】
2021526417.tif 000015
【図１４】
2021526417.tif 000016
【国際調査報告】
2021526417.tif 000017
2021526417.tif 000018
2021526417.tif 000019
2021526417.tif 000020
2021526417.tif 000021
2021526417.tif 000022